(57)【特許請求の範囲】
【請求項１】
シリンダハウジング（１８）と、前記シリンダハウジングの中をシリンダ軸（２０）に沿って長手方向に変位可能であるように案内され液圧の作用を受けることができ設定要素（１２）のうちの１つと作動的に接続される作動ピストン（２２）と、を有する、少なくとも２つの作動シリンダ（１６）を備え、前記作動シリンダ（１６）が、フランジ表面（２４）を介して自動車変速機の変速機ケーシング（１４）の隔壁（２６）上に一方側からフランジ装着され得るユニットを形成するように組み合わせられる、前記自動車変速機の前記設定要素（１２）の作動のための液圧作動装置（１０）であって、前記作動シリンダ（１６）の前記シリンダハウジング（１８）が、前記フランジ表面（２４）が形成される場所である前記シリンダ軸（２０）に対して横断方向に延在するプラスチック材料のフランジプレート（２８）と一体に射出成形され、前記シリンダハウジング（１８）が、少なくとも前記フランジ表面（２４）の側で前記シリンダ軸（２０）の方向に前記フランジプレート（２８）を越えて突出する、液圧作動装置（１０）。
【請求項２】
前記フランジプレート（２８）に、周にわたって分散され前記フランジ表面（２４）に対して垂直に延在し、支持スリーブ（３８、３８’、３８’’）で内貼りされる複数の装着穴（３６、３６’、３６’’）が設けられ、前記支持スリーブに、前記支持スリーブ（３８、３８’、３８’’）を通って延在し前記液圧作動装置（１０）の装着のために前記フランジ表面（２４）を前記隔壁（２６）に引き当てるために前記変速機ケーシング（１４）の前記隔壁（２６）の関連付けられたねじ孔（４４、４４’、４４’’）に螺入され得る固定ねじ（４２、４２’、４２’’）のための緊張付与カラー（４０、４０’、４０’’）が、前記フランジ表面（２４）から離れた側に設けられる、請求項１に記載の液圧作動装置（１０）。
【請求項３】
互いから最も遠く離れた前記装着穴が、前記変速機ケーシング（１４）の前記隔壁（２６）の関連付けられた心出し凹部（４８、４８’）内での機械的に確実な係合のために前記支持スリーブ（３８、３８’）が心出し突出部（４６、４６’）によって前記フランジ表面（２４）を越えて突出する場所である、固定された支持装着穴（３６）と可動の支持装着穴（３６’）とを形成し、一方、残りの前記支持スリーブ（３８’’）が前記フランジ表面（２４）の前または前記フランジ表面（２４）において終わり、前記固定された支持装着穴（３６）は前記関連付けられた支持スリーブ（３８）を遊びなく取り囲むが、前記可動の支持装着穴（３６’）は、前記固定された支持装着穴（３６）と位置合わせされ中に前記関連付けられた支持スリーブ（３８’）が間隔における公差に対して補償がもたらされ得るように楕円形の穴の位置合わせに対応して移動可能であるように受容される、前記楕円形の穴として形成される、請求項２に記載の液圧作動装置（１０）。
【請求項４】
前記フランジプレート（２８）が、前記フランジ表面（２４）から離れた側の前記可動の支持装着穴（３６’）の周囲に、前記支持スリーブ（３８’）が端部表面（５２）によって前記関連付けられた心出し凹部（４８’）内に設けられた当接表面（５４）と接触する前に、前記可動の支持装着穴（３６’）と関連付けられる前記支持スリーブ（３８’）における前記緊張付与カラー（４０’）の偏向を可能にする、面取り部（５０）を設けられる、請求項３に記載の液圧作動装置（１０）。
【請求項５】
前記フランジプレート（２８）に、前記フランジ表面（２４）の領域において、２つの層として被覆された弾性封止材料から成る、前記フランジプレート（２８）において拘束性の係留部としての役割を果たすより広い基部区域（６０）と前記基部区域（６０）上に配置構成され前記フランジ表面（２４）を越えて突出するより細い封止区域（６２）とを備える、フランジシール（５６）の受容のための、包囲する陥凹部（５８）が設けられる、請求項１から４のいずれか一項に記載の液圧作動装置（１０）。
【請求項６】
各シリンダハウジング（１８）が、前記それぞれの作動ピストン（２２）の受容のためのシリンダチャンバ区域（６６）と、前記シリンダチャンバ区域（６６）と平行に延在し前記作動ピストン（２２）の閉鎖側で前記シリンダチャンバ区域（６６）と流体接続する圧力接続区域（６８）と、を有し、前記シリンダチャンバ区域に、前記フランジ表面（２４）から離間されたこれらの開放端部において、前記作動ピストン（２２）がその一方側で前記シリンダチャンバ区域（６６）の前記開放端部を介しておよびその他方側で前記圧力接続区域（６８）の前記開放端部を介して圧力を加えられ得るように、前記変速機ケーシング（１４）の前記隔壁（２６）に対して封止するそれぞれの圧力シール（７２、７２’、７２’’）が各々設けられる、請求項１から５のいずれか一項に記載の液圧作動装置（１０）。
【請求項７】
前記シリンダチャンバ区域（６６）および前記圧力接続区域（６８）に、これらの開放端部において、圧力荷重下で封止作用を増幅するように構築される関連付けられた前記圧力シール（７２、７２’）の受容のための環状凹部（１１０、１１０’）が各々設けられ、前記圧力シール（７２、７２’）が、長手方向両側に、径方向の圧力荷重下で軸方向に封止を行う封止リップ（１１４）を設けられるか、または、封止ビード（１１６）により前記圧力シール（７２’）を前記隔壁（２６）にピストンの様式で押し付けるために、長手方向一方側に、前記それぞれの開放端部を越えて突出する前記封止ビード（１１６）を設けられると同時に、長手方向他方側に、基体突出部（１２０）において径方向に延在する通路（１２４）を介して圧力を加えられ得る環状チャンバ（１２２）を前記基体突出部（１２０）とともに境界付ける、径方向に作用する封止リップ（１１８）が設けられるか、のいずれかである環状基体（１１２、１１２’）を有する、請求項６に記載の液圧作動装置（１０）。
【請求項８】
少なくとも各シリンダハウジング（１８）の前記シリンダチャンバ区域（６６）および前記圧力接続区域（６８）の前記開放端部における前記圧力シールが、前記開放端部の上に施栓され得るように構築される形状のシール（７２’’）として組み合わされる、請求項６に記載の液圧作動装置（１０）。
【請求項９】
各シリンダハウジング（１８）に、前記フランジ表面（２４）から離れた側で前記フランジプレート（２８）を越えて突出する端部において、中で前記それぞれの作動ピストン（２２）と接続されたピストンロッド（８０）が案内されるガイドブッシュ（９０）の受容のためのハウジング突出部（８８）が設けられる、請求項１から８のいずれか一項に記載の液圧作動装置（１０）。
【請求項１０】
前記ピストンロッド（８０）と協働し軸方向において前記ガイドブッシュ（９０）に付設されるロッドシール（９２）も前記ハウジング突出部（８８）内に受容され、前記ハウジング突出部（８８）上に装着された環状カバー（９４）が前記ガイドブッシュ（９０）と前記ロッドシール（９２）の両方を前記ハウジング突出部（８８）内に固着する、請求項９に記載の液圧作動装置（１０）。
【請求項１１】
前記それぞれの作動ピストン（２２）上に装着された信号要素（３２）の位置検出用のセンサ（３０）が、各シリンダハウジング（１８）と関連付けられ、前記センサ（３０）と信号接続しており介在することで前記センサ（３０）が共通して接触され得る電気インターフェース（３４）が、前記ユニット内に組み込まれる、請求項１から１０のいずれか一項に記載の液圧作動装置（１０）。
【請求項１２】
前記自動車変速機における回転速度感知用の少なくとも１つのセンサ（１５０）および／またはそのようなセンサのための端子（１５２）が、前記ユニット内で統合され共通のコンタクト形成のために前記電気インターフェース（３４）と信号接続して配設される、請求項１１に記載の液圧作動装置（１０）。
【請求項１３】
前記センサ（３０）および前記電気インターフェース（３４）が、前記シリンダハウジング（１８）の外部輪郭に従うように前記ユニットの前記フランジ表面（２４）の側に置かれる可撓性回路基板（１３８）を介して信号接続している、請求項１１に記載の液圧作動装置（１０）。
【請求項１４】
前記センサ（３０；１５０）ならびに任意選択で前記端子（１５２）および前記電気インターフェース（３４）が、前記シリンダハウジング（１８）の外部輪郭に従うように前記ユニットの前記フランジ表面（２４）の側に置かれる可撓性回路基板（１３８）を介して信号接続している、請求項１２に記載の液圧作動装置（１０）。
【請求項１５】
各シリンダハウジング（１８）が外周側において、前記関連付けられたセンサ（３０）のための受容凹部（１４２）を有し、前記可撓性回路基板（１３８）が、一方側では前記センサ（３０）を装備され、他方側では前記センサ（３０）の領域において、中に前記センサ（３０）が受容された前記受容凹部（１４２）を保護するように閉じる目的を果たすカバー（１４３）を支持する、請求項１３または１４に記載の液圧作動装置（１０）。
【請求項１６】
各シリンダハウジング（１８）が外周側において、互いに面する２つの平行な長手溝（１４４）によって側方を境界付けられる、前記関連付けられたセンサ（３０）のための受容区域（１４５）を有し、前記可撓性回路基板（１３８）に付着された各センサ（３０）が、前記可撓性回路基板（１３８）の１つの同じ側で、前記それぞれのセンサ（３０）および前記可撓性回路基板（１３８）と一緒に封止材料によって封入され、前記可撓性回路基板（１３８）に対して横断方向に延在し前記関連付けられたセンサ（３０）を固定するために前記それぞれのシリンダハウジング（１８）の前記受容区域（１４５）における前記長手溝（１４４）の中に挿入可能である２つの平行なウェブ（１４７）を互いに離れた側に有する、フレーム（１４６）によって取り囲まれる、請求項１３または１４に記載の液圧作動装置（１０）。
【請求項１７】
前記可撓性回路基板（１３８）を保持および案内するための舌部（１４０）が、前記シリンダハウジング（１８）に隣接して、前記フランジプレート（２８）上に一体に形成される、請求項１３から１６のいずれか一項に記載の液圧作動装置（１０）。
【請求項１８】
前記作動ピストン（２２）の各々に、プラスチック材料による射出成形される封入によって前記信号要素（３２）としての磁石が装着される、感知突出部（１３４）が設けられる、請求項１１から１７のいずれか一項に記載の液圧作動装置（１０）。
【発明の詳細な説明】
【技術分野】
【０００１】
本発明は、請求項１の前提部による、自動車変速機中の設定要素の作動のための液圧作動装置に関する。
【０００２】
この種の作動装置は、たとえば自動車業界における自動変速機−同業界では「ギアセレクタ」とも呼ばれる−のために広く使用されており、この場合たとえば、変速機のセレクタロッドに取り付けられるギア変更用のセレクタフォークの作動、すなわち変位および任意選択で位置決めという目的を果たす。
【背景技術】
【０００３】
請求項１の前提部を形成する文献ＤＥ１０３４２３８９Ａ１は、シリンダハウジング（同文献中：それぞれのシリンダチャンバを有する主ユニット）と、この中をシリンダ軸に沿って長手方向に変位可能であるように案内され、各々が液圧の作用を受けることができ変速機の設定要素（セレクタフォークを伴うセレクタロッド）のうちの１つと作動的に接続される、作動ピストン（ピストン）と、を備える、合計４つの作動シリンダ（アクチュエータシリンダユニットまたは液圧シリンダユニット）を備える、変速機用の液圧式制御機器を開示している。この先行技術では、作動シリンダは、フランジ表面を介して変速機のケーシング隔壁上に一方側からフランジ装着され得るサブアセンブリとして、組み立て易いように事前に組み合わせられる。
【０００４】
しかしながらこの先行技術の欠点を、既に知られている実質的にブロック形状の下位組立体がシリンダ軸の方向において相対的に大きい量の設置空間を必要とし、またその嵩張る金属形態で比較的重くもあるということに見ることができる。しかしながら、変速機ケーシングにおいてまたはその中で利用可能な設置空間は通常、非常にぴったりな寸法とされている。さらに、現代の自動車における使用の状況では、特に燃料消費の問題の観点から、重量低減が望ましい。
【発明の概要】
【０００５】
本発明は、上記の欠点を回避し上述の先行技術と比較して特に設置空間の必要が低い、自動車変速機中の設定要素の作動のための可能な最軽量の液圧作動装置を創出する、という目的を有する。
【０００６】
この目的は、請求項１において示される特徴によって達成される。本発明の有利なまたは目的にかなった発展形態が、請求項２から１７の主題である。
【０００７】
本発明によれば、自動車変速機中の設定要素の作動のための液圧作動装置であって  −  この装置は、シリンダハウジングと、この中をシリンダ軸に沿って長手方向に変位可能であるように案内されて液圧荷重されることができ設定要素のうちの１つと作動的に接続される作動ピストンと、を有する少なくとも２つの作動シリンダを備え、これらの作動シリンダは、フランジ表面を介して自動車変速機の変速機ケーシングの隔壁上に一方側からフランジ装着され得るユニットを形成するように組み合わされ  −  、この作動シリンダのシリンダハウジングは、フランジ表面が形成される場所であるシリンダ軸に対して横断方向に延在するプラスチック材料のフランジプレートと一体に射出成形され、このシリンダハウジングは、少なくともフランジ表面の側でシリンダ軸の方向にフランジプレートを越えて突出する。
【０００８】
言い換えれば、各作動シリンダがそれ自体のシリンダハウジングを有し、全てのシリンダハウジングは、ただシリンダハウジングと材料に関して一体に構築されたフランジプレートを介して、１つに接続される。この分野を規定する先行技術において開示されるブロック設計と比較すると、シリンダハウジング同士の間のさらなる「中間材料」が回避される。このことは、プラスチック材料からの構築に関して、加えて射出成形によって非常に経済的にも製作され得る、非常に軽量の作動装置につながり、この場合、本分野を規定する先行技術において必要とされる材料除去処理ステップと、これと結び付けられるコストとが、排除される。加えて、作動装置が自動車変速機上にまたはその中に装着されている状態においてシリンダハウジングが変速機ケーシング内に少なくとも部分的に突出しこの場合に作動装置が上にフランジ装着される変速機ケーシング隔壁の関連付けられた開口部を通過するように、シリンダ軸の方向に見られたときにシリンダハウジングが少なくともフランジ表面の側でフランジプレートを越えて突出することに起因して、特に、変速機ケーシング隔壁の壁厚さが、作動シリンダのための軸方向設置空間としても使用され、この結果として全体的な配置構成は、特にコンパクトな構造のものとなる。さらに、変速機ケーシング隔壁にこの場合「獲得された」設置空間は有利には、シリンダハウジングの外周に任意選択で存在するセンサ、ケーブル等の、保護的受容に役立ち得る。
【０００９】
作動装置の有利な実施形態では、フランジプレートには、周にわたって分散されフランジ表面に対して垂直に延在し、支持スリーブを通って延在する固止ねじのため、また、作動装置の装着のために、フランジ表面を隔壁に引き当てるために変速機ケーシングの隔壁の関連付けられたねじ孔に螺入され得る、緊張付与カラーがフランジ表面から離れた側に設けられた支持スリーブに沿って並ぶ、複数の装着穴が設けられ得る。力の伝達はしたがってこの場合、フランジプレートのプラスチック材料が過負荷とされ得ないように、好ましくは金属の支持スリーブを介して発生する。支持スリーブは、射出成形の型の中に単純な手法で置かれ次いで射出成形によって封入され得るか、または、射出成形工程後にフランジプレートのこうして形成された連続した装着穴の中に圧入され得る。
【００１０】
この場合、互いから最も遠く離れた装着穴は、変速機ケーシングの隔壁の関連付けられた心出し凹部内での機械的に確実な係合のために支持スリーブが心出し突出部によってフランジ表面を越えて突出する場所である、固定された支持装着穴と可動の支承穴とを形成することができ、一方、残る支持スリーブ端部はフランジ表面の前またはフランジ表面において終わり、この場合、固定された支持装着穴は関連付けられた支持スリーブを遊びなく取り囲むが、可動の支持装着穴は、固定された支持装着穴と位置合わせされ中に関連付けられた支持スリーブが間隔公差に対して補償がもたらされ得るように楕円形の穴の位置合わせに対応して移動可能であるように受容される、楕円形の穴として形成される。この限りにおいて、射出成形された部分は、公差が適正な装着にとって有害となることなく、相対的な観点において公差の影響を受け得る。さらに、変速機ケーシングの隔壁の心出し凹部の任意の（間隔に関わる）寸法的および位置的な公差に対して補償が容易にもたらされ得る。
【００１１】
装着状況のさらなる好ましい実施形態では、フランジプレートは、可動の支持装着穴の周囲のフランジ表面から離れている側に、スリーブが関連付けられた心出し凹部内に設けられた当接表面において端部表面と接触する前に可動の支持装着穴と関連付けられた支持スリーブにおける緊張付与カラーの偏向を可能にする、面取り部を設けられ得る。したがって、たとえばフランジプレートの厚さの公差および／または変速機ケーシングの隔壁の対応する心出し凹部の深さにおける公差に対して、補償が容易にもたらされ得るように、軸方向公差を単純な手法で弾性的に「橋渡し」することが可能である。
【００１２】
作動装置のフランジプレートが媒体分離機能も有さねばならない限りにおいては、フランジプレートの一方側を変速機ケーシングにおける関連付けられた表面に対して密閉するために、フランジ表面のところに成形されたシールを設けることが、原理的には可能である。しかしながら、そのような封止機能を提供するために、フランジプレートに、フランジ表面の領域において、  −  ２つの層として被覆され、弾性封止材料、たとえばＡＣＭ（アクリレートゴムベースのエラストマー）から成る  −  フランジプレートにおいて拘束性の係留部（captive anchorage）としての役割を果たすより広い基部区域と基部区域上に配置構成されフランジ表面を越えて突出するより細い封止区域とを備える、フランジシールの受容のための、射出成形により容易に生産可能である取り囲む陥凹部が設けられれば好ましい。この種のシールは、フランジ表面にわたって連続的な動きで送給ニードルが移動される自動化されたニードル送給（needle dosing）によって、容易に被覆または適用され得、この場合には（最初）粘性の封止材料を連続的に計量し、この場合、第１のステップで固着機能のためのより広い基部区域、および第２のステップで封止機能を生み出すためのより細い封止区域が、正確におよび再現可能に適用される。成形されたシールと結び付けられる組立コストがこうして回避される。
【００１３】
原理的には、作動装置の個々のシリンダハウジングを「閉鎖」されるように形成すること、およびこれらに、介在することで作動ピストンが液圧の作用を受け得る圧力接続部を設けることが可能である。本発明の概念をさらに追究すると、それでもなお、各シリンダハウジングが、それぞれの作動ピストンの受容のためのシリンダチャンバ区域と、シリンダチャンバ区域と平行に延在し作動ピストンの背後でシリンダチャンバ区域と流体接続する圧力接続区域と、を有し、これらの区域に、フランジ表面から離間されたそれらの開放端部において、作動ピストンがその一方側でシリンダチャンバ区域の開放端部を介しておよびその他方側で圧力接続区域の開放端部を介して圧力を加えられ得るように、変速機ケーシングの隔壁に対して封止するそれぞれの圧力シールが設けられれば、好ましい。こうして、液圧区域を境界付けるために、いずれの場合にも存在する、変速機ケーシングの壁または壁表面が使用され、このことは、作動装置の設置空間要件に関しておよびコストに関して有利である。
【００１４】
この場合、シリンダチャンバおよび圧力接続区域には、それらの開放端部において、圧力荷重下で封止効果を増幅するように構築される、関連付けられた圧力シールの受容のためのそれぞれの環状凹部が設けられ得、この場合、圧力シールは、長手方向両側に、径方向の圧力荷重下で軸方向に封止を行う封止リップを設けられるか、または、その封止ビードにより圧力シールを隔壁にピストンのような様式で押し付けるために、長手方向一方側に、それぞれの開放端部を越えて突出する封止ビードを設けられると同時に、長手方向他方側に、基体突出部において径方向に延在する通路を介して圧力を加えられ得る環状チャンバを基体突出部とともに境界付ける、径方向に作用する封止リップが設けられるか、のいずれかである環状基体を有する。有利には、これら２つの封止の変形形態によって軸方向公差の補償がもたらされ得、装着されたフランジプレートのどのような変形も「橋渡し」され得る。
【００１５】
さらなる封止の変形形態では、少なくとも各シリンダハウジングのシリンダチャンバ区域および圧力接続区域の開放端部における圧力シールは、開放端部上に施栓され得るように構築される形状形成されたシールを形成するように組み合わされ得る。個々のシールと比較すると、この封止の変形形態は、組立の単純化という利点を有する。
【００１６】
原理的には、作動ピストンと作動的に接続される設定要素、たとえばセレクタロッドを、変速機ケーシングまたはその壁においてのみ、好適に案内することが考えられる。しかしながら、逆に、各シリンダハウジングに、フランジ表面から離れた側でフランジプレートを越えて突出するその端部において、作動装置も設定要素のための案内または担持機能を有するように、それぞれの作動ピストンと接続されたピストンロッドが中で案内されるガイドブッシュの受容のための、ハウジング突出部が設けられれば好ましい。この場合、セレクタロッドはたとえば、単純にチューブとして構築され得るか、またはピストンロッドが中に挿入される管状端部を設けられ得る。
【００１７】
作動装置が媒体分離機能も有するべきである限りにおいて、およびピストンロッド側での作動ピストンの液圧荷重時の圧力蓄積挙動の改善のために、ピストンロッドと協働し軸方向において案内ブッシュと接続されたロッドシールが、ハウジング突出部内に受容され得、この場合有利には、ハウジング突出部上に装着された環状カバーが、ガイドブッシュだけではなくロッドシールもハウジング突出部内に固着する。
【００１８】
作動装置の特に好ましい実施形態では、それぞれの作動ピストン上に装着された信号要素の位置検出用のセンサは、各シリンダハウジングと関連付けられ得、この場合、センサと信号接続しており介在することでセンサが共通して接触され得る電気インターフェースが、ユニット内に組み込まれる。そのような作動装置はしたがって、生み出される作動動作の検出のために必要とされ得るセンサシステムを、予め支持している。作動装置の組立のときに、変速機制御部を作動装置の電気インターフェースと接続する必要があるだけである。先行技術で通常見られる、設定要素（セレクタロッド／セレクタフォーク）上でのまたは変速機ケーシング内での個々の信号要素およびセンサの装着、ならびにこれらの配線が、有利には排除され得る。この組立およびコンタクト形成のかなりの単純化とは別に、センサシステムはこの場合また、作動装置の装着前でさえ、事前試験および任意選択の事前プログラムをなされ得る。
【００１９】
１つの同じユニットにおける機能のさらに高いレベルの統合に関して、自動車変速機における回転速度感知用の少なくとも１つのセンサおよび／またはそのようなセンサのための接続部が、このユニット内で統合され共通のコンタクト形成のために電気インターフェースと信号接続して配設される作動装置の実施形態が、さらに好ましい。
【００２０】
感知される作動装置の特にコンパクトで組み立て易い構造では、センサ、任意選択で回転速度センサ用の端子およびインターフェースは、シリンダハウジングの外部輪郭に問題なく従うように変速機ケーシング内の特別に保護されるべきユニットのフランジ表面の側に置かれる可撓性回路基板を介して、信号接続することが可能である。
【００２１】
この場合、各シリンダハウジングは関連付けられたセンサのための受容凹部を外周側に有することができ、この場合、可撓性回路基板は、一方側ではセンサを装備され、他方側ではセンサの領域において、中にセンサが受容された受容凹部を保護するように閉鎖する目的を果たすカバーを支持する。このようにして事前装備された下位組立体は、特に装着が単純であり、個々の構成要素の続く電気接続が排除される。
【００２２】
同じことが、湿気、温度、および作動媒体などの環境的な影響に関してさらに良好に保護される、各シリンダハウジングが外周側において２つの平行な互いに面する長手溝によって側方を境界付けられる関連付けられたセンサのための受容区域を有するような感知される作動装置の、代替の変形形態にも当てはまり、この場合、可撓性回路基板に付着された各センサは、可撓性回路基板の１つの同じ側で、それぞれのセンサおよび可撓性回路基板と一緒に封止材料によって封入され、可撓性回路基板に対して横断方向に延在し関連付けられたセンサを固定するためにそれぞれのシリンダハウジングの受容区域における長手溝の中に挿入可能である、２つの平行なウェブを互いに離れた側に有する、フレームによって取り囲まれる。
【００２３】
加えて、感知される作動装置の場合には、可撓性回路基板を位置決めおよび固定する特に単純な形態を表すだけでなく、プラスチック材料からの射出成形の時に問題のない様式で製作され得る、可撓性回路基板を保持および案内するための舌部が、シリンダハウジングの近くで、フランジプレート上に一体に形成され得る。
【００２４】
最後に、感知される作動装置に関して、信号要素として、作動ピストンの所定位置に好適にクリップ留めされる磁石を用いることが、原理的に可能である。ただし固定の安全性の観点から、各作動ピストンに、射出成形されるプラスチック材料の封入によって信号要素としての磁石が装着される、感知突出部が設けられる実施形態が好ましい。
【００２５】
本発明が、例示の単純化のためにエラストマーのまたは弾性の部品が変形されていない状態で例示されている、添付の一部概略的な図面を参照して、好ましい実施形態に基づいてより詳細に例示される。
【図面の簡単な説明】
【００２６】
【図１】上方および前方から斜めに作動装置のフランジ表面から離れた作動装置の側を見た、装着されていない状態の、本発明の好ましい実施形態による、自動車変速機中の設定要素の作動のための液圧作動装置の斜視図。
【図２】下方および背後から斜めに、作動装置が自動車変速機の変速機ケーシングの隔壁上にフランジ装着され得る、作動装置のフランジ表面を見た、装着されていない状態の、図１による作動装置の斜視図。
【図３】破断された形態で例示されている、図１および図２の縮尺と比較してサイズが低減されている、変速機ケーシング上に装着されている状態の、図１による作動装置の正面図。
【図４】変速機ケーシングにおける作動装置の固定された支持装着箇所の例示のための、装着された状態の、図３における切断線ＩＶ〜ＩＶに対応する、図１による作動装置の縮尺を拡大された破断断面図。
【図５】切断面が作動装置の作動シリンダのうちの１つのシリンダ軸に沿って延在し、図５における右の側で、設定要素としての自動車変速機のセレクタロッドの、作動シリンダのピストンロッドへの結合が例示されている、装着された状態の、図３における切断線Ｖ〜Ｖに対応する、図１による作動装置の縮尺を拡大された破断断面図。
【図６】作動シリンダのシリンダチャンバ区域における圧力シールの第１の変形形態を明確にするための、図５の縮尺と比較してサイズを大きくされた、図５における詳細ＶＩの図。
【図７】フランジ表面が作動装置のフランジプレートにおいて形成されている、作動装置のフランジ表面におけるフランジシールの例示のための、図５の縮尺と比較してサイズを大きくされた、図５における詳細ＶＩＩの図。
【図８】変速機ケーシングにおける作動装置のさらなる装着箇所の実証的な例示のための、装着された状態の、図３における切断線ＶＩＩＩ〜ＶＩＩＩに対応する、図１による作動装置の縮尺を拡大された破断断面図。
【図９】変速機ケーシングにおける作動装置の可動の支持装着箇所の例示のための、装着された状態の、図３における切断線ＩＸ〜ＩＸに対応する、図１による作動装置の縮尺を拡大された破断断面図。
【図１０】視線の方向がフランジ表面に対して垂直である、装着されていない状態の、図１による作動装置の、図１の縮尺と比較してサイズが低減されている背面図。
【図１１】作動装置の可動の支持装着箇所のさらなる例示のための、図１０における切断線ＸＩ〜ＸＩに対応する、図１による作動装置の縮尺を拡大された破断断面図。
【図１２】作動装置の可動の支持装着箇所が、作動装置の固定された支持装着箇所の中心を通って延在する平面において切断されて示されている（一点鎖線を参照）、切断線ＸＩ〜ＸＩに対して垂直な図１０における切断線ＸＩＩ〜ＸＩＩに対応する、図１による作動装置の縮尺を拡大された破断断面図。
【図１３】図５の作動シリンダ切断面に対して垂直に延在する作動シリンダ切断面における作動装置の作動シリンダのさらなる詳細の例示のための、図１０における切断線ＸＩＩＩ〜ＸＩＩＩに対応する、図１による作動装置の縮尺を拡大された破断断面図。
【図１４】作動シリンダにおける圧力シールの図６による第１の変形形態とは異なる第２の変形形態の例示のための、左および下方に破断され縮尺を拡大されている、切断経路が図１０における切断線ＸＩＶ〜ＸＩＶに対応している、作動装置の断面図。
【図１５】図１５の可撓性回路基板とは対照的に反対側にセンサと（閉鎖）カバーとを装備されているセンサシステムの図２、図５、および図１０において装着された状態で示されている可撓性回路基板の代替形態としての、一方側にセンサと作動装置に取り付けるための（差し込み）フレームとを装備している、装着されていない状態の、作動装置の統合されたセンサシステムの可撓性回路基板の斜視図。
【図１６】図１５の装着された可撓性回路基板を有する、固定された装着箇所に最も近い、図５の作動シリンダにおける切断経路に関して対応する、作動シリンダの端部領域における装着されていない作動装置の破断断面図。
【図１７】図１６における切断線ＸＶＩＩ〜ＸＶＩＩに対応する作動装置の破断断面図。
【図１８】図６および図１４の変形形態とは異なる圧力シールの第３の変形形態による作動シリンダ圧力シールの例示のための、上方および背後から斜めにフランジ表面を見た、装着されていない状態の作動装置の斜視分解図。
【図１９】図１８による第３の変形形態による装着された圧力シールのさらなる例示のための、図１３の切断経路に関して対応する、装着されていない状態の作動装置の断面図。
【図２０】図１９の縮尺と比較してサイズを大きくされた、図１９における詳細ＸＸの図。
【発明を実施するための形態】
【００２７】
図１から図１３は本発明の好ましい実施形態を例示し、一方、図１４から図２０は、さらなる実施形態に関する圧力シールの変形形態およびセンサシステムの代替形態を示す。全ての図面において  −  および以下の記載において  −  、作動されることになる変速機設定要素（たとえばセレクタフォークを有するセレクタロッド）およびこれらの機能は専門家には十分に良く知られており本発明の理解のためにこれらに関する説明は不要に思われるので、これらの要素のより詳細な例示または説明は省略されている。
【００２８】
図面において、参照符号１０は、変速機ケーシング１４の部品が図３から図９において見られ得る自動車変速機の設定要素、たとえばセレクタフォーク（図示せず）を有する（図５において示される）セレクタロッド１２の作動のための、液圧作動装置全体を示す。作動装置１０は、シリンダハウジング１８と、この中をシリンダ軸２０に沿って長手方向に変位可能であるように案内され両側で液圧荷重されることができ設定要素のうちの１つとこの後で記載される様式で作動的に接続される作動ピストン２２と、を各々備える、少なくとも２つの、例示される実施形態では４つの、作動シリンダ１６を備える。
【００２９】
作動シリンダ１６は、フランジ表面２４を介して変速機ケーシング１４の隔壁２６上に一方側からフランジ装着され得るユニットを形成するように特別な様式で組み合わせられ、特に、作動シリンダ１６のシリンダハウジング１８は、プラスチック材料、たとえば、たとえば５０％の所定のガラス繊維成分を有するポリフタルアミド（ＰＰＡ）から、フランジ表面２４が形成される場所であるシリンダ軸２０に対して横断方向に延在するフランジプレート２８と一体に、射出成形される。この点に関して、シリンダハウジング１８は、装着された状態の作動装置１０のシリンダハウジング１８が、部分的に変速機ケーシング１４の隔壁２６に「陥入される」ようにまたはその中に「貫通する」ように（図５参照）、特に図２、図５、図１３、図１８、および図１９において見られ得るように、少なくともフランジ表面２４の側で、シリンダ軸２０の方向にフランジプレート２８を越えて突出する。
【００３０】
以下で同様により詳細に記載されるように、それぞれの作動ピストン２２上に装着された信号要素３２の位置検出用のセンサ３０（図５および図１５から図１７を参照）は、作動装置１０の各シリンダハウジング１８と関連付けられ、この場合、センサ３０と信号接続しており介在することでセンサ３０が共通して接触され得る電気インターフェース３４（図２、図１０および図１５参照）が、ユニット内に組み込まれる。
【００３１】
作動装置１０を変速機ケーシング１４にまたはその中に装着するために、フランジプレート２８には、フランジプレート縁部における周にわたって分散されフランジ表面２４に対して垂直に延在し関連する詳細が図４、図８、図９、図１１、および図１２から推量され得る、複数の  −  例示された実施形態では合計７つの  −  装着穴３６、３６’、３６’’が設けられる。したがって、各装着穴３６、３６’、３６’’は、径方向に遊びを有してそれぞれの支持スリーブ３８、３８’、３８’’を通って延在し作動装置１０の装着された状態においてフランジプレート２８のフランジ表面２４を締め付けて隔壁２６に当てるために変速機ケーシング１４の隔壁２６の関連付けられたねじ孔４４、４４’、４４’’（図４、図８、および図９を参照）に螺入される固定ねじ４２、４２’、４２’’のための緊張付与カラー４０、４０’、４０’’が、フランジ表面２４から離れた側に設けられた、金属支持スリーブ３８、３８’、３８’’によって内貼りされる。
【００３２】
この場合、フランジ表面２４の平面内に見られるような互いから最も遠く離れた装着穴は、変速機ケーシング１４の隔壁２６の関連付けられた心出し凹部４８、４８’内での機械的に確実な係合のために支持スリーブ３８、３８’’が心出し突出部４６、４６’によってフランジ表面２４を越えて突出する場所である、固定された支持装着穴３６と可動の支持装着穴３６’とを形成する（図４および図９を参照）。固定された支持装着穴３６が、フランジプレート２８の射出成形のときに既にプラスチック材料内に埋め込まれ得る径方向の遊びを有さない関連付けられた支持スリーブ３８を取り囲む一方、図１０および図１２による可動の支持装着穴３６’は、固定の支持装着穴３６と位置合わせされ中に関連付けられた支持スリーブ３８’が間隔公差に対して補償がもたらされ得るように楕円形の穴の位置合わせに対応して移動可能であるように受容される、楕円形の穴として形成される。対照的に、残りの５つの支持スリーブ３８’’は、ちょうどフランジ表面２４においてまたはその少し前で終わり（図８参照）、フランジプレート２８の射出成形のときに、同じく径方向の遊びのないプラスチック材料内に埋め込まれ得る。
【００３３】
可動の支持装着状況のさらなる特徴が、同じく図９、図１１、および図１２において示されている。フランジプレート２８は、フランジ表面２４から離れた側の可動の支持装着穴３６’の周囲に、支持スリーブ３８’が環状端部表面５２によって関連付けられた心出し凹部４８’内に設けられた環状当接表面５４と接触する前に、可動の支持装着穴３６’と関連付けられるこのスリーブにおける緊張付与カラー４０’の僅かな偏向を可能にする、面取り部５０を特に設けられる。例示の単純化のために、図９では、緊張付与カラー４０’の偏向の直前の状態が示されている。力の流れはこうして、固止ねじ４２’の頭部から始まって分割される。締め付ける力の一部は、支持スリーブ３８’のスリーブ区域と相互に接触する表面５２、５４とを直接介して、変速機ケーシング１４の隔壁２６内に入り、締め付ける力のその他の部分は、板ばねの様式で働く緊張付与カラー４０’を介してフランジプレート２８内へと伝導され、フランジプレート２８を、変速機ケーシング１４の隔壁２６における遊びのないフランジ表面２４によって、反対側の表面に押し付ける。
【００３４】
作動装置１０のフランジプレート２８と変速機ケーシング１４の隔壁２６との間を封止するために、フランジシール５６が設けられる。より精確には、図２、図５、図７、図８、図１０から図１３、図１８、および図１９が特に示すように、フランジプレート２８は、装着穴３６、３６’、３６’’とシリンダハウジング１８の周囲との間のまたはこれらの「内側」のフランジ表面２４の領域において、フランジシール５６の受容のための包囲する陥凹部５８を設けられる。例示された実施形態では、フランジシール５６は、硬化に先立ってニードル送給によって高粘度の形態で２つの直接連続した層として適用される、たとえばＡＣＭ（アクリレートゴムベースのエラストマー）などの弾性封止材料から成り、この場合、送給ニードルは、陥凹部５８の進路に従うようにフランジ表面２４にわたって連続的に移動される。この場合、第１のステップにおいて最初に、フランジプレート２８において拘束性の係留部としての役割を果たす、より広い基部区域６０が製作され、第２のステップにおいて、この上に次いでより細い封止区域６２が被覆される。より細い封止区域６２は、特に図７、図８、図１１から図１３、および図１９において見られ得るように、フランジシール５６の完成されて硬化された状態において、作動装置１０の装着された状態におけるシールが、弾性変形下で変速機ケーシング１４の隔壁２６における対向する表面に封止的に押し付けられるように、フランジ表面２４を越えて突出するが、このことは例示の単純化のために、図５、図７、および図８には示されていない。このようにして作動装置１０による媒体分離が可能である。この場合、歯車の組（例示せず）が配置構成される図５における右側の隔壁２６の変速機側とは異なる液圧オイルを用いて、クラッチ、弁、等も配設され得る（図示せず）図５における左側の隔壁２６の制御側で動作させることが可能である。特に図１、図２、および図１８によれば、フランジプレート２８は、それ以外の点で、装着穴３６、３６’、３６’’とシリンダハウジング１８との間で、上述された図において例として６４によって特徴付けられるような、フランジの締め付けを損なう過剰な変形に対抗するリブによって、前側および後側で好適に剛直化される。
【００３５】
両側でフランジプレート２８から自体のシリンダハウジング１８によって突出する作動シリンダ１６のさらなる詳細が、特に図５、図１３、および図１９から推量され得る。したがって、各シリンダハウジング１８は、それぞれの作動ピストン２２の受容のためのシリンダチャンバ区域６６と、  −  図１３および図１９において最もよく見られ得るように  −  シリンダチャンバ区域６６と平行に延在し、フランジ表面２４の側から見たときに作動ピストン２２の背後でシリンダ軸２０に対して横断方向に延在するチャネル７０を介してシリンダチャンバ区域６６と流体接続する、圧力接続区域６８と、を有する。作動シリンダ１６のシリンダチャンバ区域６６および圧力接続区域６８に、フランジ表面２４から離間されたこれらの開放端部において、図５において示されるように変速機ケーシング１４の隔壁２６に対して封止し以下で様々な変形形態において記載されることになる圧力シール７２、７２’、７２’’が、それぞれ設けられる。結果として、それぞれの作動ピストン２２は、その一方の（円形表面）側ではシリンダチャンバ区域６６の開放端部を介して、およびその他方の（環状表面）側では圧力接続区域６８の開放端部を介して、圧力を加えられ得る。図５では、この目的のためにシリンダチャンバ区域６６の開放端部において必要とされる、変速機ケーシング１４の隔壁２６における圧力接続部が、７４で概略的に例示されている。ただし、圧力接続区域６８の開放端部に設けられる、変速機ケーシング１４の隔壁２６におけるさらなる圧力接続部は示されていない。ブリード停止部７８を有する、作動シリンダ１６から制御側に向かって流出させるためのブリードチャネル７６が、図５において示されている。
【００３６】
図５、図１３、および図１９によれば、作動ピストン２２は同じく、ピストンロッド８０に外周の端部において特定の外形とされた部分８２が設けられることの目的である、機械的に確実な結合を提供するために、たとえばアルミニウム合金などの軽量金属のピストンロッド８０上への射出成形によって射出成形される、プラスチック材料、たとえば、一例として５０％の所定のガラス繊維成分を有するポリフタルアミド（ＰＰＡ）から成る。作動ピストン２２は、外周側において、中に２つのエラストマーの溝リング８６が、これらの封止リップが互いに面するそれ自体知られている様式で装着される、広い環状溝８４を有する。溝リング８６は、作動ピストン２２の端面有効面（end-face effective surface）を互いから分離するように、ならびにこの場合、作動ピストン２２における圧力差としたがって作動ピストン２２の変位とを可能にするように、封止する様式でシリンダチャンバ区域６６の内壁と協働する。
【００３７】
図１、図５、図１３、および図１９において最もよく見られ得るように、各シリンダハウジング１８は、フランジ表面２４から離れた側でフランジプレート２８を越えて突出する端部において、中でそれぞれの作動ピストン２２と接続されたピストンロッド８０が軸方向に案内される、たとえばポリフェニレンサルファイド（ＰＰＳ）などのプラスチック材料のガイドブッシュ９０の受容のための、外側へのリブ状とされたハウジング突出部８８と一体に形成される。さらに、ピストンロッド８０と封止的に協働し軸方向において作動ピストン２２に向かってガイドブッシュ９０と接続されるロッドシール９２が、ハウジング突出部８８内に受容される。超音波溶接によってハウジング突出部８８上に装着された、シリンダハウジング１８のプラスチック材料などのプラスチック材料の環状カバー９４が、環状カラー９６によってハウジング突出部８８における段部に押し付けて担持されるガイドブッシュ９０だけでなく、ロッドシール９２も、ハウジング突出部８８内に固着する。
【００３８】
図５によれば、例示される実施形態では管状であるセレクタロッド１２は、フランジプレート２８から離れる方向においてハウジング突出部８８を越えて突出する、ピストンロッド８０の端部上に装着され、この目的のために、ピストンロッド８０は、端部にねじ孔９８が形成されている。２つの管状の金属ガイド部品１００、１０２が、セレクタロッド１２内に軸方向に離間して取り付けられ、たとえば溶接され、このガイド部品によって、セレクタロッド１２が、径方向の遊びが実質的にない状態でピストンロッド８０へ押し付けられる。セレクタロッド１２とピストンロッド８０とを引っ張り耐性および圧縮耐性のある様式で１つに接続するために、図５において右側でガイド部品１０２を通過するキャップねじ１０４が、ピストンロッド８０のねじ孔９８に螺入される。この場合、セレクタロッド１２に固止され好適に支持されるセレクタフォーク（図示せず）に対してピストンロッド８０およびしたがって作動ピストン２２をシリンダハウジング１８内で回らないように固着するために、ピストンロッド８０の自由端に設けられシリンダ軸２０に沿って突出する突出部１０６が、円周方向に見られたときに実質的に相補的な形状の、図５において右側のガイド部品１０２の関連付けられた凹部１０８内に係合する。この限りにおいて、セレクタロッド１２が、作動ピストン２２の圧力荷重に応じて図５における右または左に変位され得る（両方向矢印を参照）かまたは特定の軸方向設定で保持され得ることが明らかであり、この場合、センサ３０および信号要素３２は、作動ピストン２２を回転しないようにシリンダハウジング１８内に固着する結果として、常に一致したままである。
【００３９】
エラストマーの  −  たとえばアクリロニトリル−ブタジエン−スチレンゴム（ＮＢＲ）ベースのエラストマーから形成された  −  圧力シール７２、７２’、７２’’の、既に述べた様々な変形形態に関する詳細は、図５、図６、図１３、および図１６（第１の変形形態）、図１４（第２の変形形態）、および図１８から図２０（第３の変形形態）から、推量され得る。
【００４０】
圧力シール７２、７２’の第１および第２の変形形態では、シリンダハウジング１８のシリンダチャンバ区域６６および圧力接続区域６８は、これらの開放端部において、圧力荷重下で封止作用を増幅するように構築され、両方の場合において環状基体１１２、１１２’を有する関連付けられた圧力シール７２、７２’の受容のための環状凹部１１０、１１０’が、各々設けられる。圧力シール７２の第１の変形形態では、図６が特に示すように、基体１１２の長手方向両側に、軸方向に封止するために径方向の圧力荷重下でシリンダハウジング１８の環状凹部１１０における隣接する端部表面に押し付けてまたは変速機ケーシング１４の隔壁２６に押し付けて担持され、包囲する封止リップ１１４が形成されている。
【００４１】
対照的に、図１４によれば、圧力シール７２’の第２の変形形態では、所定位置において加硫処理される環状補強材１１５によって剛直化される環状基体１１２’は、長手側に、シリンダチャンバ区域６６のまたは圧力接続区域６８のそれぞれの開放端部を越えて突出する、平面視して見られたときに環状であり断面において見られたとき球形である封止ビード１１６が設けられる。基体１１２’の他方の長手側には、径方向に作用する封止リップ１１８が径方向外向きに形成され、軸方向に延在する径方向内側の基体突出部１２０とともに、圧力シール７２’を自体の封止ビード１１６によって環状のピストンの様式で変速機ケーシング１４の隔壁２６に押し付けるために、基体突出部１２０における径方向に延在する通路１２４を介して圧力を加えられ得る、環状チャンバ１２２を境界付ける。この限りにおいて、圧力シール７２、７２’のこれら２つの変形形態が、存在し得る任意の軸方向間隙を圧力荷重下で問題のない様式で封止効果を伴って橋渡しするのに、基本的に好適であることは、これらの変形形態に共通している。
【００４２】
図１８から図２０において例示されている、圧力シール７２’’の第３の変形形態では、少なくとも各シリンダハウジング１８のシリンダチャンバ区域６６および圧力接続区域６８の開放端部における圧力シールは  −  図１８の実施形態では、隔壁側にある２つの各シリンダハウジング１８の全ての圧力シールでさえ  −  、開放端部上に差し込まれ得るように構築される形状形成されたシールを形成するために、組み立て易い様式で組み合わされる。この目的のために、軸方向溝１２６および１２７が、それぞれシリンダハウジング１８の開放端部におよび圧力シール７２’’に形成され、これらの溝の中に、それぞれのその他の部分において軸方向に突出するウェブ１２８または１２９を挿入可能である。圧力シール７２’’の外部に一体に形成されたストラップ１３０が、この実施形態では、作動装置１０の未装着状態においてそれぞれの圧力シール７２’’が紛失しないように固着する役割を果たし、このストラップ１３０は、シリンダハウジング１８の外周に好適な接着剤によって固止されている。変速機ケーシング１４内にまたはその上に作動装置１０を装着する状態において、圧力シール７２’’における端面に設けられた封止リップ１３２は、変速機ケーシング１４の隔壁２６に対して封止し、それぞれの圧力シール７２’’を所定位置に保持する。
【００４３】
導入部において、作動装置１０の作動シリンダ１６によって互いから独立して生み出され得る軸方向作動動作がストロークに関して感知され、この目的のために、センサ３０および信号要素３２が各作動シリンダ１６と関連付けられることが、既に検討された。例示された実施形態では、各作動ピストン２２は、この目的のためにならびに図５、図１６、および図１７において最もよく見られ得るように、その端部表面の縁部において、作動ピストン２２の射出成形のときに一体に形成され、そして信号要素３２としての磁石がプラスチック材料の射出成形される封入または取り付けにより装着される、感知突出部１３４が設けられる。磁石はこの場合、射出成形が可能である「磁石塊」を形成するために、プラスチック材料、たとえばポリフェニレンサルファイド（ＰＰＳ）によって境界付けられるＮｄＦｅＢ粒子によって形成される。射出成形中、この塊は、信号要素３２が結果として機械的に確実な結合によって作動ピストン２２に拘束的に固着されるように、感知突出部１３４に設けられた凹部１３５およびアンダーカット１３６（図５、図１３、図１６、図１７、および図１９を参照）の中に流れる。
【００４４】
それぞれのシリンダハウジング１８へのセンサ３０の取り付けに関する限り、図面には例として、センサ３０  −  ここではホール素子  −  が、介在することでセンサ３０が電気インターフェース３４と信号接続する、たとえばポリイミドフィルムをベースにした薄い可撓性回路基板１３８上に装着されていることが共通している、２つの代替形態が示されている。可撓性回路基板１３８は、図２、図１０、および図１７において最もよく見られ得るように（図１８には可撓性回路基板は描写されていない）、シリンダハウジング１８の外側輪郭に従うように、ユニットのフランジ表面２４の側に置かれる  −  こうして変速機ケーシング１４の隔壁２６内で保護される  −  。この場合、可撓性回路基板１３８を保持および案内するための舌部１４０が、フランジプレート２８においてシリンダハウジング１８に隣接して一体に形成される。
【００４５】
特に図２、図５、および図１０によれば、第１のセンサの代替形態の場合では、各シリンダハウジング１８はこの時点で、外周において、関連付けられたセンサ３０のための受容凹部１４２を設けられている。可撓性回路基板１３８は、一方側にセンサ３０を装備され、他方側のセンサ３０の領域内に、たとえば可撓性回路基板１３８に接着され、中にセンサ３０が受容された受容凹部１４２を保護するように閉鎖する目的を果たす、プラスチック材料のカバー１４３を支持している。例示された実施形態では、カバー１４３は、それぞれのシリンダハウジング１８にレーザ溶接される。
【００４６】
図１５から図１７において示される第２のセンサの代替形態の場合では、各シリンダハウジング１８は外周において、２つの平行な互いに面する長手溝１４４によって側方を境界付けられる関連付けられたセンサ３０のための受容区域１４５を有する。可撓性回路基板１３８上に付着されたセンサ３０は、可撓性回路基板１３８の１つの同じ側で、それぞれのセンサ３０および可撓性回路基板１３８と一緒に、図においては見られ得ない封止材料、たとえば紫外光によっておよび熱的に硬化される一成分のエポキシ樹脂によって封入される、それぞれのフレーム１４６によって各々取り囲まれる。フレーム１４６は、可撓性回路基板１３８に対して横断方向に延在し、それぞれのシリンダハウジング１８の受容区域１４５における長手溝１４４の中に、関連付けられたセンサ３０をそこで機械的に確実に固定するために挿入可能である、２つの平行なウェブ１４７を、互いに離れた側に有する。両方のセンサ変形形態において、センサ３０はこうして、検出されるべきそれぞれの信号要素３２の可能な限り近くに配置構成される。
【００４７】
可撓性回路基板１３８上に同様に事前に付着された電気インターフェース３４は、図２および図１０に従い、そのプラスチック材料のハウジング１４８によってフランジプレート２８とシリンダハウジング１８のうちの１つとにレーザ溶接により別途固止される。
【００４８】
最後に、図１から図３、図１０、図１５、および図１８において、自動車変速機における回転速度感知用のセンサ１５０、たとえばホール素子、および／またはそのようなセンサ（図示せず）のための端子１５２  −  図１および図２において例示されるケーブルがこれにつながる  −  が、ユニット内で、より精確にはフランジプレート２８において統合され、共通のコンタクト形成のために可撓性回路基板１３８を介して同様に電気インターフェース３４と信号接続し得ることも示されている。自動車変速機における作動装置１０の装着に関して、この場合、全てのセンサを変速機制御部と電気的に接続するために、電気インターフェース３４の中にプラグを挿入することしか必要とされない。
【００４９】
自動車変速機中の設定要素の作動のための液圧作動装置は、シリンダハウジングと、この中をシリンダ軸に沿って長手方向に変位可能であるように案内され液圧の作用を受けることができ、設定要素のうちの１つと作動的に接続される作動ピストンと、を各々備える、少なくとも２つの作動シリンダを備える。これらの作動シリンダは、フランジ表面を介して自動車変速機の変速機ケーシングの隔壁上に一方側からフランジ装着され得るユニットを形成するように組み合わされる。この目的のために、シリンダハウジングは、シリンダ軸に対して横断方向に延在し、その上にフランジ表面が形成されるプラスチック材料のフランジプレートと一体に射出成形される。この場合、シリンダハウジングは、変速機ケーシング内のまたは変速機ケーシングにおける設置空間に対する作動装置の要求が小さくなるように、少なくともフランジ表面の側でシリンダ軸の方向にフランジプレートを越えて突出する。
以下に、本願出願の当初の特許請求の範囲に記載された発明を付記する。
［１］  シリンダハウジング（１８）と、前記シリンダハウジングの中をシリンダ軸（２０）に沿って長手方向に変位可能であるように案内され液圧の作用を受けることができ設定要素（１２）のうちの１つと作動的に接続される作動ピストン（２２）と、を有する、少なくとも２つの作動シリンダ（１６）を備え、前記作動シリンダ（１６）が、フランジ表面（２４）を介して自動車変速機の変速機ケーシング（１４）の隔壁（２６）上に一方側からフランジ装着され得るユニットを形成するように組み合わせられる、前記自動車変速機の前記設定要素（１２）の作動のための液圧作動装置（１０）であって、前記作動シリンダ（１６）の前記シリンダハウジング（１８）が、前記フランジ表面（２４）が形成される場所である前記シリンダ軸（２０）に対して横断方向に延在するプラスチック材料のフランジプレート（２８）と一体に射出成形され、前記シリンダハウジング（１８）が、少なくとも前記フランジ表面（２４）の側で前記シリンダ軸（２０）の方向に前記フランジプレート（２８）を越えて突出する、液圧作動装置（１０）。
［２］  前記フランジプレート（２８）に、周にわたって分散され前記フランジ表面（２４）に対して垂直に延在し、支持スリーブ（３８、３８’、３８’’）で内貼りされる複数の装着穴（３６、３６’、３６’’）が設けられ、前記支持スリーブに、前記支持スリーブ（３８、３８’、３８’’）を通って延在し前記作動装置（１０）の装着のために前記フランジ表面（２４）を前記隔壁（２６）に引き当てるために前記変速機ケーシング（１４）の前記隔壁（２６）の関連付けられたねじ孔（４４、４４’、４４’’）に螺入され得る固定ねじ（４２、４２’、４２’’）のための緊張付与カラー（４０、４０’、４０’’）が、前記フランジ表面（２４）から離れた側に設けられる、［１］に記載の作動装置（１０）。
［３］  互いから最も遠く離れた前記装着穴が、前記変速機ケーシング（１４）の前記隔壁（２６）の関連付けられた心出し凹部（４８、４８’）内での機械的に確実な係合のために前記支持スリーブ（３８、３８’）が心出し突出部（４６、４６’）によって前記フランジ表面（２４）を越えて突出する場所である、固定された支持装着穴（３６）と可動の支持装着穴（３６’）とを形成し、一方、残りの前記支持スリーブ（３８’’）が前記フランジ表面（２４）の前または前記フランジ表面（２４）において終わり、前記固定された支持装着穴（３６）は前記関連付けられた支持スリーブ（３８）を遊びなく取り囲むが、前記可動の支持装着穴（３６’）は、前記固定された支持装着穴（３６）と位置合わせされ中に前記関連付けられた支持スリーブ（３８’）が間隔における公差に対して補償がもたらされ得るように楕円形の穴の位置合わせに対応して移動可能であるように受容される、前記楕円形の穴として形成される、［２］に記載の作動装置（１０）。
［４］  前記フランジプレート（２８）が、前記フランジ表面（２４）から離れた側の前記可動の支持装着穴（３６’）の周囲に、前記支持スリーブ（３８’）が端部表面（５２）によって前記関連付けられた心出し凹部（４８’）内に設けられた当接表面（５４）と接触する前に、前記可動の支持装着穴（３６’）と関連付けられる前記スリーブ（３８’）における前記緊張付与カラー（４０’）の偏向を可能にする、面取り部（５０）を設けられる、［３］に記載の作動装置（１０）。
［５］  前記フランジプレート（２８）に、前記フランジ表面（２４）の領域において、２つの層として被覆された弾性封止材料から成る、前記フランジプレート（２８）において拘束性の係留部としての役割を果たすより広い基部区域（６０）と前記基部区域（６０）上に配置構成され前記フランジ表面（２４）を越えて突出するより細い封止区域（６２）とを備える、フランジシール（５６）の受容のための、包囲する陥凹部（５８）が設けられる、［１］から［４］のいずれか一項に記載の作動装置（１０）。
［６］  各シリンダハウジング（１８）が、前記それぞれの作動ピストン（２２）の受容のためのシリンダチャンバ区域（６６）と、前記シリンダチャンバ区域（６６）と平行に延在し前記作動ピストン（２２）の背後で前記シリンダチャンバ区域（６６）と流体接続する圧力接続区域（６８）と、を有し、前記シリンダチャンバ区域に、前記フランジ表面（２４）から離間されたこれらの開放端部において、前記作動ピストン（２２）がその一方側で前記シリンダチャンバ区域（６６）の前記開放端部を介しておよびその他方側で前記圧力接続区域（６８）の前記開放端部を介して圧力を加えられ得るように、前記変速機ケーシング（１４）の前記隔壁（２６）に対して封止するそれぞれの圧力シール（７２、７２’、７２’’）が各々設けられる、［１］から［５］のいずれか一項に記載の作動装置（１０）。
［７］  前記シリンダチャンバ区域（６６）および前記圧力接続区域（６８）に、これらの開放端部において、圧力荷重下で封止作用を増幅するように構築される関連付けられた前記圧力シール（７２、７２’）の受容のための環状凹部（１１０、１１０’）が各々設けられ、前記圧力シール（７２、７２’）が、長手方向両側に、径方向の圧力荷重下で軸方向に封止を行う封止リップ（１１４）を設けられるか、または、封止ビード（１１６）により前記圧力シール（７２’）を前記隔壁（２６）にピストンの様式で押し付けるために、長手方向一方側に、前記それぞれの開放端部を越えて突出する前記封止ビード（１１６）を設けられると同時に、長手方向他方側に、基体突出部（１２０）において径方向に延在する通路（１２４）を介して圧力を加えられ得る環状チャンバ（１２２）を前記基体突出部（１２０）とともに境界付ける、径方向に作用する封止リップ（１１８）が設けられるか、のいずれかである環状基体（１１２、１１２’）を有する、［６］に記載の作動装置（１０）。
［８］  少なくとも各シリンダハウジング（１８）の前記シリンダチャンバ区域（６６）および前記圧力接続区域（６８）の前記開放端部における前記圧力シールが、前記開放端部の上に施栓され得るように構築される形状のシール（７２’’）として組み合わされる、［６］に記載の作動装置（１０）。
［９］  各シリンダハウジング（１８）に、前記フランジ表面（２４）から離れた側で前記フランジプレート（２８）を越えて突出する端部において、中で前記それぞれの作動ピストン（２２）と接続されたピストンロッド（８０）が案内されるガイドブッシュ（９０）の受容のためのハウジング突出部（８８）が設けられる、［１］から［８］のいずれか一項に記載の作動装置（１０）。
［１０］  前記ピストンロッド（８０）と協働し軸方向において前記ガイドブッシュ（９０）に付設されるロッドシール（９２）も前記ハウジング突出部（８８）内に受容され、前記ハウジング突出部（８８）上に装着された環状カバー（９４）が前記ガイドブッシュ（９０）と前記ロッドシール（９２）の両方を前記ハウジング突出部（８８）内に固着する、［９］に記載の作動装置（１０）。
［１１］  前記それぞれの作動ピストン（２２）上に装着された信号要素（３２）の位置検出用のセンサ（３０）が、各シリンダハウジング（１８）と関連付けられ、前記センサ（３０）と信号接続しており介在することで前記センサ（３０）が共通して接触され得る電気インターフェース（３４）が、前記ユニット内に組み込まれる、［１］から［１０］のいずれか一項に記載の作動装置（１０）。
［１２］  前記自動車変速機における回転速度感知用の少なくとも１つのセンサ（１５０）および／またはそのようなセンサのための端子（１５２）が、前記ユニット内で統合され共通のコンタクト形成のために前記電気インターフェース（３４）と信号接続して配設される、［１１］に記載の作動装置（１０）。
［１３］  前記センサ（３０；１５０）ならびに任意選択で前記端子（１５２）および前記インターフェース（３４）が、前記シリンダハウジング（１８）の外部輪郭に従うように前記ユニットの前記フランジ表面（２４）の側に置かれる可撓性回路基板（１３８）を介して信号接続している、［１１］または［１２］に記載の作動装置（１０）。
［１４］  各シリンダハウジング（１８）が外周側において、前記関連付けられたセンサ（３０）のための受容凹部（１４２）を有し、前記可撓性回路基板（１３８）が、一方側では前記センサ（３０）を装備され、他方側では前記センサ（３０）の領域において、中に前記センサ（３０）が受容された前記受容凹部（１４２）を保護するように閉じる目的を果たすカバー（１４３）を支持する、［１３］に記載の作動装置（１０）。
［１５］  各シリンダハウジング（１８）が外周側において、互いに面する２つの平行な長手溝（１４４）によって側方を境界付けられる、前記関連付けられたセンサ（３０）のための受容区域（１４５）を有し、前記可撓性回路基板（１３８）に付着された各センサ（３０）が、前記可撓性回路基板（１３８）の１つの同じ側で、前記それぞれのセンサ（３０）および前記可撓性回路基板（１３８）と一緒に封止材料によって封入され、前記可撓性回路基板（１３８）に対して横断方向に延在し前記関連付けられたセンサ（３０）を固定するために前記それぞれのシリンダハウジング（１８）の前記受容区域（１４５）における前記長手溝（１４４）の中に挿入可能である２つの平行なウェブ（１４７）を互いに離れた側に有する、フレーム（１４６）によって取り囲まれる、［１３］に記載の作動装置（１０）。
［１６］  前記可撓性回路基板（１３８）を保持および案内するための舌部（１４０）が、前記シリンダハウジング（１８）に隣接して、前記フランジプレート（２８）上に一体に形成される、［１３］から［１５］のいずれか一項に記載の作動装置（１０）。
［１７］  前記作動ピストン（２２）の各々に、プラスチック材料による射出成形される封入によって前記信号要素（３２）としての磁石が装着される、感知突出部（１３４）が設けられる、［１１］から［１６］のいずれか一項に記載の作動装置（１０）。
【符号の説明】
【００５０】
１０  作動装置
１２  セレクタロッド
１４  変速機ケーシング
１６  作動シリンダ
１８  シリンダハウジング
２０  シリンダ軸
２２  作動ピストン
２４  フランジ表面
２６  隔壁
２８  フランジプレート
３０  センサ
３２  信号要素
３４  電気インターフェース
３６、３６’、３６’’  装着穴
３８、３８’、３８’’  支持スリーブ
４０、４０’、４０’’  緊張付与カラー
４２、４２’、４２’’  固定ねじ
４４、４４’、４４’’  ねじ孔
４６、４６’  心出し突出部
４８、４８’  心出し凹部
５０  面取り部
５２  端部表面
５４  当接表面
５６  フランジシール
５８  陥凹部
６０  基部区域
６２  封止区域
６４  リブ
６６  シリンダチャンバ区域
６８  圧力接続区域
７０  チャネル
７２、７２’、７２’’  圧力シール
７４  圧力接続部
７６  換気チャネル（ブリードチャネル）
７８  換気開口（ブリード停止部）
８０  ピストンロッド
８２  特定の外形とされた部分
８４  環状溝
８６  溝リング
８８  ハウジング突出部
９０  ガイドブッシュ
９２  ロッドシール
９４  カバー
９６  環状カラー
９８  ねじ孔
１００  ガイド部品
１０２  ガイド部品
１０４  キャップねじ
１０６  突出部
１０８  凹部
１１０、１１０’  環状凹部
１１２、１１２’  基体
１１４  封止リップ
１１５  環状補強材
１１６  封止ビード
１１８  封止リップ
１２０  基体突出部
１２２  環状チャンバ
１２４  通路
１２６  軸方向溝
１２７  軸方向溝
１２８  ウェブ
１２９  ウェブ
１３０  ストラップ
１３２  封止リップ
１３４  感知突出部
１３５  凹部
１３６  アンダーカット
１３８  可撓性回路基板
１４０  舌部
１４２  受容凹部
１４３  カバー
１４４  長手溝
１４５  受容区域
１４６  フレーム
１４７  ウェブ
１４８  プラスチック材料のハウジング
１５０  センサ
１５２  端子
【図１】
0006612325.tif 000002
【図２】
0006612325.tif 000003
【図３】
0006612325.tif 000004
【図４】
0006612325.tif 000005
【図５】
0006612325.tif 000006
【図６】
0006612325.tif 000007
【図７】
0006612325.tif 000008
【図８】
0006612325.tif 000009
【図９】
0006612325.tif 000010
【図１０】
0006612325.tif 000011
【図１１】
0006612325.tif 000012
【図１２】
0006612325.tif 000013
【図１３】
0006612325.tif 000014
【図１４】
0006612325.tif 000015
【図１５】
0006612325.tif 000016
【図１６】
0006612325.tif 000017
【図１７】
0006612325.tif 000018
【図１８】
0006612325.tif 000019
【図１９】
0006612325.tif 000020
【図２０】
0006612325.tif 000021